【事件の表示】
　特許第３１４５４５６号「フロアパネル」の請求項１、２に係る特許に対する特許異議の申立てについて、次のとおり決定する。
【結　論】
　特許第３１４５４５６号の請求項１、２に係る特許を維持する。
【理　由】
１　本件発明
　本件特許第３１４５４５６号の請求項１、２に係る発明（平成３年１２月２５日出願、平成１３年１月５日設定登録）は、特許明細書及び図面の記載からみてその特許請求の範囲の請求項１、２に記載された次のとおりのものと認める。
「【請求項１】中央に孔を形成し、この孔に、大小二種類の蓋を並べた状態で塞がれるコンセントを取り付けるための孔を形成した蓋を取り付けてなるフロアパネル。
【請求項２】請求項１の大小二種類の蓋のうち、少なくともいずれか一方の蓋に更に孔を形成し、この孔に別の蓋を取り付てなるフロアパネル。」
　　
２　特許異議申立ての理由の概要
　異議申立人・高見博は、甲第１号証（特開昭５６−１０１３２６号公報）、甲第２号証（実願昭５７−９２２７号（実開昭５８−１１１７５０号）のマイクロフィルム）、甲第３号証（特開昭６２−２３６９５６号公報）を提出し、本件請求項１、２に係る発明は甲第１〜３号証に記載された発明に基づいて当業者が容易に発明をすることができたものであるから、特許法第２９条第２項の規定により特許を受けることができず、本件特許は取り消されるべきものである旨主張している。
　　
３　甲各号証の記載事項
　甲第１号証には、電気用品作動用組立体とそのレセプタクル支持手段に関する発明が記載され、「本発明は・・・フロアの様な障壁の改良を提供する。」（２頁左下欄２〜６行）、「本発明は、リム開口３４を与えるリム手段３３と、上記リム開口３４に蓋関係で配置される共働蓋部材３１とを含む型式の作動組立体３０（第１図）の改良を提起する。蓋部材３１はこれに取り外し可能に枢着された蓋３２を有している。」（２頁右下欄１８行〜３頁左上欄２行）、「第２図は障壁４８の１部を示しており、その障壁外面４９は・・・覆われている。・・・蓋部材３１は・・・周囲ビード５１を有している。」（３頁右上欄１０〜１５行）、「ビード５１の内側にある部材外面５３の部分は・・・蓋ソケット５５を形成する。この蓋ソケット５５内には少なくとも１つのアクセス開口５６（２つのアクセス開口が図示されている）が設けられる。各開口５６には電気レセプタクル３７のアウトレット５７が入れられる。アウトレット５７は・・・電気プラグを接続する様に容易にアクセスすることができる。」（３頁右上欄１８行〜左下欄７行）、「各アクセス開口５６には蓋３２が組み合わされ、この蓋はこれをかぶせた位置（図示せず）と直立した位置との間で枢着運動する様に周囲ビード５１に連結される。又、各蓋３２は交流アダプタや多プラグ差し込みユニットの様な大型の付属ユニットをアウトレット５７の１つへ接続し易くするために取り外すこともできる。」（３頁左下欄７行〜１４行）と記載され、第２図には、蓋部材３１を取り付けた障壁４８の構造が示され、略同形状の二つのアクセス開口５６を設けた蓋部材３１は、障壁外面４９の開口を塞ぎ、略同形状の二つの蓋３２は各アクセス開口を塞ぐよう構成することが記載されている。第１、２図には、各アクセス開口５６にはアウトレット５７が入ること、アクセス開口はアウトレットの寸法の合う程度の大きさであることが示されている。
　以上の記載によると、甲第１号証には、障壁外面４９の開口部に蓋部材３１を取り付けた障壁４８の構造であって、蓋部材には、略同形状の二つの蓋３２によって塞がれる略同形状の二つのアクセス開口５６が形成されており、各アクセス開口５６は「大型の付属ユニット（例、交流アダプタ等）」を蓋部材３１に取り付けるための開口であり、又各アクセス開口にはアウトレット５７が入れられるよう構成される障壁の構造が記載されていると認める。
　甲第２号証には、「電子機器等の据付のために、・・・、前記フリーアクセス床板が床面を形成する着脱可能な複数個の蓋と、該蓋を保持する本体とを有してなり、該蓋の着脱により前記通風孔及び貫通孔の孔形状を設定するようにしたことを特徴とするフリーアクセス床板。」（実用新案登録請求の範囲）が図面と共に記載され、実施例を説明する箇所では、「フリーアクセス床板４を複数（実施例では３個）の大きさの異なる二種類の蓋（正方形の蓋５と長方形の蓋６）と本体７に分割して構成し、第２図（ロ）のように本体７の骨組に段８を設け、５，６の着脱を可能にしている。」（４頁３〜７行）とあり、効果に関して「該蓋の着脱の組合せを変える事により・・・事前のフリーアクセス床板の孔明手配及び加工を不要とし、コストダウンのはかれる効果は大きい。」（５頁１２〜１６行）と記載されている。
　甲第３号証には、「フレーム部分と、そのフレーム部上に分割配置する複数枚のフロアーパネルとから構成し、そのフロアーパネルの１枚又は数枚を取外すことによって開口部の位置と開口形状を調整、設定できる・・・フリーアクセス型フロアーパネル。」（特許請求の範囲１）が図面と共に記載され、「開口部が必要な位置にこの発明のフレーム部（１）とフロアパネル（２）を配置する。開口部はこのフロアーパネル（２）の適数枚を取外すことによって得ることができる。」（２頁左下欄７〜１１行）、「なお、・・・第４図２ｂ−２ｄ、に示す如く開口部の備わったフロアーパネルを第３図のフロアーパネル（２）に代えて設置することにより、・・・差し支えない。」（２頁右下欄１４〜２０行）、「このフロアーパネルを第４図２ｅのようにフロアーコンセント２ｆを取付け得るフロアーパネルにすることで、フリーアクセスフロアーパネル面に各種のフロアーコンセントの設置が実現でき、かつ上記開口部と同様に自在に移設することが可能で便利である。」（３頁左上欄７〜１２行）と記載されている。第４図には開口部が形成されたフロアーパネルが示されている。
　　
４　対比・判断
（１）請求項１に係る発明について
　本件の請求項１に係る発明（以下「本件第１発明」という。）と甲第１号証の発明とを比較すると、両者は孔（開口部）に、電気的な接続をするための孔が形成された蓋を取り付けている点では共通するが、本件第１発明の「蓋」に形成される孔は、「大小二種類の蓋を並べた状態で塞がれる」孔である。一方、甲第１号証の発明において、蓋部材３１に形成した二つのアクセス開口５６は、ほぼアウトレット５７の寸法に合う程度の開口であり、アクセス開口を塞ぐ蓋の一部で覆える程度の大きさであるから、二つの蓋３２を並べた状態でなくても塞ぎ得る開口である。しかも、アクセス開口を塞ぐ二つの蓋３２は略同形状である。
　そうであるから、甲第１号証記載のものにおけるアクセス開口５６が形成された蓋部材３１は、「大小二種類の蓋を並べた状態で塞がれる」孔が形成された蓋であるとは言えない。
　又、甲第１号証は、電気的な接続をするための開口として、アウトレット５７の寸法に合う程度の開口であり、それがアクセス開口を塞ぐ蓋の一部で覆える程度の大きさのものを示すだけであり（第１，２図参照）、蓋に関しても略同形状の二つの蓋で覆うことを示すだけであるから、蓋部材３１に「大小二種類の蓋を並べた状態で塞がれる」孔を形成することが示唆されているとは言えない。
　甲第２号証に記載の発明は、複数の孔が大小の２種類の蓋５，６によって塞がれるフリーアクセス床板４であり、該「フリーアクセス床板」は本件第１発明の「フロアパネル」に相当するので、電気的な接続のため孔を形成したフロアパネルである点において両者は共通している。
　しかし、本件第１発明が、中央に孔を形成し、これにコンセントを取り付けるための孔を形成した蓋を取り付けたものであるのに対し、甲第２号証のフロアパネルは、孔に、蓋で塞がれる孔を形成した蓋を取り付けたものではない。
　又、甲第２号証は、フロアパネルに大小の複数の孔を設け、それぞれに蓋を取り付ける記載があるだけであるから、孔に、孔を形成した蓋を取り付けることが容易になし得たことであるとすることはできない。
　甲第３号証に記載の発明と本件第１発明とは、孔（開口部）を形成したフロアパネルである点で共通するが、前者は、中央に孔を形成し、これにコンセントを取り付けるための孔を形成した蓋を取り付けたものではない。又甲第３号証には、フロアパネルに形成された「孔」に、蓋で塞がれる孔を形成した蓋を取り付けることを示唆する記載はない。
　更に、甲第１号証の記載内容に甲第２、３号証の記載を合わせ考慮しても、これらの記載事実から請求項１に係る発明が容易になし得たものであるとは認められない。
　そして、本件第１発明では、その構成により、使用されるコンセントの大きさに合わせた蓋だけを取れば必要な孔のみが形成でき、余の部分のふさぎの問題等を考慮しなくてもよいという効果が奏されるものである。
　したがって、本件第１発明は、甲第１〜３号証に記載された発明に基づいて当業者が容易に発明をすることができたものであるとは認められない。
　　
（２）請求項２に係る発明について
　本件の請求項２に係る発明は、請求項１に係る発明を技術的に限定したものであるから、上記（１）に記載したのと同様な理由により当業者が容易に発明をすることができたものであるとは認められない。
　　
５　むすび
　以上のとおりであるので、異議申立の理由及び証拠によっては、本件の請求項１及び２に係る発明の特許を取り消すことができない
　また、他に本件の請求項１及び２に係る特許を取り消すべき理由を発見しない。
　よって、結論のとおり決定する。　 
【異議決定日】
平成１３年１２月２５日（２００１．１２．２５）